(57)【特許請求の範囲】
【請求項１】
遊技盤に設けた球発射装置から発射レール上の球をガイドレールを介して遊技盤の遊技領域に向けて発射した結果、発射不良となった戻り球を回収するための遊技機の戻り球回収構造において、
発射レールとガイドレールとの間に戻り球取込み用の隙間を設けて、この隙間に、ガイドレール上を戻ってきた戻り球を衝突させるガイドレール側側面を、発射レールに近付くに連れて次第に遊技盤面から離れる方向に、遊技盤面に対して４５°以下の角度で傾斜させたレール補助部材を配設するとともに、前記側面に衝突した戻り球を回収するための球回収通路を球発射通路の横に設けたことを特徴とする遊技機の戻り球回収構造。
【請求項２】
前記側面の戻り球入口側の傾斜角度を小さく、戻り球出口側を大きくした請求項１に記載の遊技機の戻り球回収構造。
【請求項３】
レール補助部材の上面に山形ガイドを設けて、前記側面の一部を高く形成した請求項１または２に記載の遊技機の戻り球回収構造。
【請求項４】
前記ガイドレールを断面円弧形状として、発射レールよりも後方にずらして設置したことを特徴とする請求項３に記載の遊技機の戻り球回収構造。
【発明の詳細な説明】
【技術分野】
【０００１】
本発明は、発射レール上の球を上方の遊技領域に向けて発射した結果、遊技領域に到着することなく発射不良となってガイドレールを戻ってきた球を回収するための遊技機の戻り球回収構造に関する。
【背景技術】
【０００２】
従来遊技機であるパチンコ機においては、例えば図１０に示すように、遊技盤１の下部右方に弾球槌２１を備えた球発射装置２が配設されている。このパチンコ機においては、弾球槌２１によって弾かれた球は発射レール３からガイドレール４を伝って遊技盤１の遊技領域１１内に打ち込まれるが、打球力不足などで遊技領域１１内に到着しなかった球は戻り球となってガイドレール４と内レール４１との間の球発射通路４２を逆走して、後続して発射された球と衝突することになる。そこでこの戻り球を回収するために、従来はガイドレール４と発射レール３との間に球取込用の隙間５を設け、この隙間５の下方に戻り球を下皿に戻す回収通路６を設けていた。
【０００３】
しかしながら、近年はセンター役物の大型化に伴い遊技領域１１を大きく取るために、球発射装置２を遊技盤１の中央より左方に配するものが多くなっており、その結果ガイドレール４の傾斜がきつくなっている。ガイドレール４の傾斜がきつくなれば戻り球も勢いよく戻ることになるので、従来は隙間６に落下していた戻り球が、図１１に示すように、発射レール３の側面３１の上端に衝突して上方に跳ね上がったりして後続球と衝突する事態が生ずるようになった。このような球の衝突が一旦発生すると球の衝突が次々と連鎖的に発生してしまい、遊技の続行が不可能になるという問題があった。
【０００４】
特許文献１には、後続球との衝突を回避するために、ガイドレールの下部に進路変更面６１を有する戻り球衝突体５５を設けて、進路変更面６１に衝突した戻り球Ｐ２の進行方向を右斜め下方に向けさせるようにした戻り球回収装置が開示されている。しかしながら、戻り球Ｐ２の戻り経路Ｘ２は発射球Ｐ１の発射経路Ｘ１と同一平面上で交差するので、発射球Ｐ１と戻り球Ｐ２が衝突する危険性が依然残っているという問題があった。
【先行技術文献】
【特許文献】
【０００５】
【特許文献１】特開２００７―１５１６７９号公報（図１）
【発明の概要】
【発明が解決しようとする課題】
【０００６】
本発明は、上記した従来の問題点に鑑み、発射不良となった戻り球を後続球と衝突させることなく回収するための遊技機の戻り球回収構造を提供することを課題とする。
【課題を解決するための手段】
【０００７】
上記の課題を解決するためになされた遊技機の戻り球回収構造は、遊技盤に設けた球発射装置から発射レール上の球をガイドレールを介して遊技盤の遊技領域に向けて発射した結果、発射不良となった戻り球を回収するための遊技機の戻り球回収構造において、
発射レールとガイドレールとの間に戻り球取込み用の隙間を設けて、この隙間に、ガイドレール上を戻ってきた戻り球を衝突させるガイドレール側側面を、発射レールに近付くに連れて次第に遊技盤面から離れる方向に、遊技盤面に対して４５°以下の角度で傾斜させたレール補助部材を配設するとともに、前記側面に衝突した戻り球を回収するための球回収通路を球発射通路の横に設けたことを特徴とするものである。
【０００８】
上記した発明において、前記側面の戻り球入口側の傾斜角度を小さく、戻り球出口側を大きくすることができる。また、レール補助部材の上面に山形ガイドを設けて、前記側面の一部を高く形成することができ、さらに、前記ガイドレールを断面円弧形状として、発射レールよりも後方にずらして設置することができる。
【発明の効果】
【０００９】
本発明に係る遊技機の戻り球回収構造は、球取込み用の隙間に、ガイドレール上を戻ってきた戻り球を衝突させるガイドレール側側面を、発射レールに近付くに連れて次第に遊技盤面から離れる方向に、遊技盤面に対して４５°以下の角度で傾斜させたレール補助部材を配設したので、前記側面に衝突した球を９０°以上の角度でもって遊技機前方（遊技者側）または後方に跳ね返すことができる。したがって、戻り球を球発射通路から横にずらすことができるので、後続球と衝突することがない。また、前記側面の傾斜角度を小から大へと変化させることにより、戻り球が側面に衝突する衝撃を小さいものとして球の跳ね返りを小さくして滑らかに方向転換させることができる。また、山形ガイドを設けて、山形ガイドの三角側面の分レール補助部材のガイドレール側側面を高くしたので、より確実に戻り球をガイドレール側側面に衝突させることができる。さらに、ガイドレールを発射レールよりも後方にずらして設置したので、山形ガイドの効果をより発揮させることができる。
【図面の簡単な説明】
【００１０】
【図１】遊技盤の正面図である。
【図２】本発明の戻り球回収構造の外観を示す斜視図である。
【図３】球供給部を示す斜視図である。
【図４】球発射部を示す斜視図である。
【図５】戻り球回収構造の要部正面図である。
【図６】図５のＡ−Ａ線断面図である。
【図７】別の形態の側面を有する戻り球回収構造の断面図である。
【図８】図５のＢ−Ｂ線断面図である。
【図９】発射レールとガイドレールとの関係を示す断面図である。
【図１０】パチンコ機の概略構成図である。
【図１１】戻り球の跳ね上がりを説明する概念図である。
【発明を実施するための形態】
【００１１】
以下に、本発明の実施形態について説明する。
図１は、遊技盤１の正面図であって、その下部左方に球発射装置２が配設されている。
図２〜５は、本発明に係る戻り球回収構造を示す斜視図であって、球発射装置２は、球供給部２３と、球発射部２４と、戻り球の回収通路部２５を有している（図２）。球供給部２３は、供給通路２６から送り込まれた球を一球ずつロータ２７により供給口２８に送出する（図３）。送出された球は金属製で断面Ｖ字谷状の発射レール３上の発射位置２９に載置される（図４、５）。球発射部２４は、プランジャ型ソレノイド７を有しており、通電により突出するプランジャ７１が発射位置２９の球を弾く。弾球は、発射レール３のＶ字谷３２を通過し、湾曲したガイドレール４に案内されてガイドレール４と内側レール（図示していない）の間の球発射通路４２を通り、遊技盤１の遊技領域１１内に向けて打ち込まれる。
【００１２】
打球力不足などで遊技領域１１内に到着しなかった球は、Ｖ字谷３２の延長線上にある球発射通路４２を逆走して後続して発射された球と衝突することになる。そこで衝突を防ぐために、ガイドレール４と発射レール３の間には、戻り球取込用の隙間５が設けてある。そして、この隙間５に、ガイドレール４側から発射レール３側に向って傾斜するガイドレール側側面８１を有する樹脂製のレール補助部材８が配設されている。また、ガイドレール側側面８１に衝突した戻り球を回収するための回収通路６が、隙間５に連通して、球発射通路４２の横でガイドレール側側面８１と対向する側に球一個分以上ずらして設けてある。
【００１３】
図６に示すようにガイドレール側側面８１は、発射レール３に近付くに連れて次第に遊技盤面１２から離れる方向に、遊技盤面１２に対してθ１＝１５°で傾斜するガイドレール４側の緩斜面８１ａと、反対側（＝発射レール３側）のθ２＝４５°で傾斜する急斜面８１ｂと、２つの斜面８１ａ、８１ｂの間の湾曲面８１ｃとからなる。ガイドレール側側面８１をこのように戻り球入口側の傾斜角度を小さく、出口側の傾斜角度を大きいものとしたので、戻り球の衝突力を小さくして滑らかに方向転換させることができる。
【００１４】
また、図７に示すようにガイドレール側側面８１を、遊技盤面１２に対してθ３＝４５°以下の角度で傾斜する一平面からなるものとすることができる。このガイドレール側側面８１に衝突した球は遊技盤面１２に対して９０°以上の鈍角をもって跳ね返えされる。よって、戻り球を球発射通路４２から横に（この実施例では前方に）ずらすことができるので、後続球と衝突することはない。また、仮に戻り球がガイドレール側側面８１の上端８１eに衝突したときにも、上端８１eは４５°以下で傾斜しているので（図４）、戻り球は真っ直ぐ上に跳ね返ることはなく、斜め上方に跳ね返される。したがって、戻り球を球発射通路４２から球一個分以上横にずらすことができる。また、戻り球は落下の勢いでガイドレール側側面８１の下端８１ｄより下方で回収通路部２５の側壁２５ａに衝突するので、側壁２５ａに衝突した球が球発射通路４２に戻ったりすることはない（図６）。さらに、側壁２５ａの上部２５ｂは内側に傾斜させて、球の飛び出しを防いである。
【００１５】
レール補助部材８の上面には、回収通路６側に向けて傾斜する山形ガイド８２が設けてある（図５、６、８（ａ））。山形ガイド８２は発射レール３よりも僅か（１ｍｍ程度）に低く形成されているので、ソレノイド７によって遊技領域１１内に向けて打ち込まれた球の動きに影響を与えないようになっている。これにより、ガイドレール側側面８１の高さを、山形ガイド８２の三角側面８２ａの分高くして、断面積を広くすることができて（図５）、戻り球をより確実にガイドレール側側面８１に衝突させて回収通路６に排除することができる。なお、山形ガイド８２の断面を球よりも僅か（１ｍｍ程度）に大きな半径の円弧形状とすることで、球の動きに影響を与えずにさらに高く断面積を広くすることができるためより望ましい（図８（ｂ））。また、レール補助部材８の上面全体にわたって山形ガイド８２を設けてもよいが、ガイドレール側側面８１が遊技盤面１２に対して傾斜しているために戻り球が衝突する可能性が極めて低い回収通路６側を省略して、実施形態のように遊技盤面１２側だけにすることが望ましい。
【００１６】
さらに、ガイドレール４を、断面凹状の中央が低い湾曲面に形成したうえに、発射レール３のＶ字谷３２を遊技者側の前方に１ｍｍ程度ずらすこと、すなわちＶ字谷３２の底より凹状の湾曲面の底が遊技盤面１２側に位置するように配置することができる（図９）。この場合には、発射された球は遊技盤面１２に平行でＶ字谷３２の底を通る平面Ｍ上を移動するが、球発射通路４２では、ガイドレール４の断面が湾曲面のため徐々に遊技盤面１２側に引き寄せられ先程の平面Ｍよりも後方に位置する湾曲面の底を通る平面Ｎ上を移動することになる。そのため戻り球は、Ｖ字谷３２の底より遊技盤面１２側を戻ることとなるので、遊技盤面１２側に設けた山形ガイド８２の三角側面８２ａのさらに高い位置に衝突することになり、山形ガイド８２の効果がより発揮されることとなる。  
【００１７】
以上に述べたように、本発明は、戻り球をレール補助部材８のガイドレール側側面８１に衝突させて球発射通路４２から横の方に排除することができるので、戻り球が後続球と衝突することなく、確実に回収することができる。
【符号の説明】
【００１８】
１  遊技盤、２  球発射装置、３  発射レール  ４  ガイドレール、５  隙間、６  回収通路、８  レール補助部材、１２  遊技盤面、４２  球発射通路、８１  ガイドレール側側面
【図１】
0005771844.tif 000002
【図２】
0005771844.tif 000003
【図３】
0005771844.tif 000004
【図４】
0005771844.tif 000005
【図５】
0005771844.tif 000006
【図６】
0005771844.tif 000007
【図７】
0005771844.tif 000008
【図８】
0005771844.tif 000009
【図９】
0005771844.tif 000010
【図１０】
0005771844.tif 000011
【図１１】
0005771844.tif 000012